【手続補正書】
【提出日】平成19年6月18日(2007.6.18)
【手続補正１】
【補正対象書類名】明細書
【補正対象項目名】特許請求の範囲
【補正方法】変更
【補正の内容】
【特許請求の範囲】
【請求項１】  長手軸方向のアセンブリ軸を有する、ブロワーと共に使用するための粒子分離機アセンブリであって、該ブロワーは、該粒子分離機アセンブリに接続可能であり、そして該粒子分離器アセンブリを介して粒子を含む気流を吸いこむように操作可能であり、該粒子分離機アセンブリは、以下：
複数の粒子分離チャンバであって、該粒子分離チャンバの各々は、内面を有し、そして該チャンバに供給された、該粒子を含む気流から粒子を分離するように操作可能である、粒子分離チャンバ；
該粒子分離チャンバの各々と流体連絡して配置される、真空チャンバ；
各粒子分離チャンバのための入口であって、該入口は、該アセンブリの外側の粒子を含む気体を該粒子分離チャンバへ、最終的には真空チャンバへと方向付けする、入口；
レザバと接続可能でかつ各粒子分離チャンバと流体連絡した液体通過コンジットであって、該液体通過コンジットは、液体をレザバから該粒子分離チャンバの内面に供給して、該内面を湿潤し、これにより各粒子分離チャンバ内の気体から分離された粒子は、該チャンバの該湿潤された内面上に集まり、該供給された液体内に含まれる、コンジット；ならびに
各粒子分離チャンバのための出口であって、該出口は、該粒子分離チャンバと該真空チャンバとの間の流体連絡を確立するために該真空チャンバと流体連絡しており、その結果、該粒子分離気体および該粒子を含む液体は、該粒子分離チャンバの出口を出て該真空チャンバに入る、出口
を備える、粒子分離機アセンブリ。
【請求項２】  前記複数の粒子分離チャンバは、前記アセンブリの長手軸の周りに配置される、請求項１に記載のアセンブリ。
【請求項３】  前記複数の粒子分離チャンバは、前記アセンブリの横軸の周りに、１列または２列で配置される、請求項１に記載のアセンブリ。
【請求項４】  前記液体通過コンジットは、前記アセンブリの長手軸に沿って配置される、請求項２に記載の装置。
【請求項５】  請求項１に記載のアセンブリであって、以下：
各粒子分離チャンバおよび前記液体通過コンジットと流体連絡しているレザバをさらに備える、アセンブリ。
【請求項６】  長手軸を有する粒子分離機およびコレクターアセンブリであって、該アセンブリは、以下：
少なくとも１つの粒子分離チャンバであって、該チャンバの各々は、内面および長手軸を有して形成される、チャンバ；
該少なくとも１つの粒子分離チャンバと流体連絡して配置される、下側真空チャンバ；
該少なくとも１つの粒子分離チャンバと流体連絡する少なくとも１つの入口であって、該少なくとも１つの入口により、該アセンブリの外側の粒子を含む気体は、該少なくとも１つの粒子分離チャンバに入り得る、入口；
該下側真空チャンバと流体連絡して配置される液体レザバ；ならびに
液体通過コンジットであって、該コンジットは該液体レザバと該粒子分離チャンバの内面とを相互接続して、該レザバから該粒子分離チャンバの内面に液体を供給する、コンジット、
を備え、
ここで、該粒子を含む気体はブロワーによって該少なくとも１つの入口に吸いこまれ、そして該円錐形の粒子分離チャンバを通して該下側真空チャンバに螺旋形態で供給され、該気体が該円錐形の粒子分離チャンバを通して供給される場合、該粒子は遠心力によって該粒子分離チャンバの長手軸から外向きに離れるように力を受け、その結果、該粒子は、該気体から分離され、そして該内面に供給される液体によって収集される、
アセンブリ。
【請求項７】  請求項６に記載のアセンブリであって、前記少なくとも１つの粒子分離チャンバおよび少なくとも１つの真空移動チャネルと流体連絡して配置される上側真空チャンバをさらに備え、該少なくとも１つの真空移動チャネルは、上側真空チャンバと該下側真空移動チャネルとを相互接続している、アセンブリ。
【請求項８】  請求項６に記載のアセンブリであって、前記入口は、前記粒子分離チャンバに対して接線方向に配置され、その結果、前記粒子分離チャンバに入る気体は、螺旋形態で移動し始める、アセンブリ。
【請求項９】  気流から粒子を分離し、そして該粒子を液体中に収集する装置であって、該装置は、以下：
長手軸を規定するハウジングであって、該ハウジングは、ブロワーと接続可能な上端部およびポンプと接続可能な下端部を備える、ハウジング；
少なくとも１つのサイクロンチャンバであって、該チャンバは該ハウジング内に配置され、そして上側端部および下側端部を有し、該サイクロンチャンバは、気体および液体を排出するための出口を有する、チャンバ；
該サイクロンチャンバと流体連絡した少なくとも１つのハウジング入口であって、該ハウジング入口により、該装置の外側の粒子を含む気体は、該サイクロンチャンバに入り得る、ハウジング入口；
該ハウジング内に配置され、そしてポンプと接続可能である液体通過コンジットであって、該液体通過コンジットは、該サイクロンチャンバの上側端部へと該液体を送達する、コンジット；ならびに
下側真空チャンバ、該サイクロンチャンバおよび該液体通過コンジットと流体連絡しているレザバ
を備え、
ここで、該粒子を含む気体は、該ブロワーによって該サイクロンチャンバを通って吸いこまれ、その結果、該粒子は遠心力によって該気体から分離され、そして該サイクロンチャンバに供給される液体によって収集され、ここで、粒子を捕捉した液体および粒子を分離した気体は、該サイクロンチャンバ出口を通ってサイクロンチャンバを出る、
装置。
【請求項１０】  前記ハウジング内に配置される複数のサイクロンチャンバをさらに備える、請求項９に記載の装置。
【請求項１１】  請求項１０に記載の装置であって、前記複数のサイクロンチャンバは、前記ハウジングの長手軸の周りに等距離で配置される、装置。
【請求項１２】  請求項１０に記載の装置であって、前記複数のサイクロンチャンバは、前記ハウジングの横軸の周りに、一列または二列で配置される、装置。
【請求項１３】  請求項１０に記載の装置であって、前記液体通過コンジットは、前記複数のサイクロンチャンバに液体を供給する、装置。
【請求項１４】  請求項１３に記載の装置であって、前記液体通過コンジットは、前記ハウジングの長手軸に沿って配置される、装置。
【請求項１５】  請求項９に記載の装置であって、前記ハウジングは、少なくとも１つの真空移動チャネルをさらに備え、該少なくとも１つの真空移動チャネルは、該ハウジングの上端部から該ハウジングの下端部まで延びる、装置。
【請求項１６】  請求項１５に記載の装置であって、前記ハウジングは、該ハウジングの上端部に配置され、前記サイクロンチャンバの上側部分にあるボルテックスファインダーと流体連絡した上側真空チャンバをさらに備え、前記少なくとも１つの真空移動チャネルは、該サイクロンチャンバ出口を該上側真空チャンバと接続し、その結果、前記気流は、該サイクロンチャンバを通して吸いこまれる、装置。
【請求項１７】  前記長手軸に対して同心状であり、そして前記ハウジングに連結される外側サイクロンチャンバをさらに備える、請求項９に記載の装置であって、該外側サイクロンチャンバは、前記ハウジング入口と流体連絡している、装置。
【請求項１８】  請求項１７に記載の装置であって、前記外側サイクロンチャンバは、入口をさらに備え、該外側サイクロンチャンバ入口により、該装置の外側の粒子を含む気体は、前記ハウジング入口を通って前記少なくとも１つのサイクロンチャンバに入り得る、装置。
【請求項１９】  粒子分離アセンブリを使用して、気体から特定のカットサイズより大きな空気力学的直径を有する粒子を分離し、そして該粒子を液体中に捕捉するための方法であって、該粒子分離アセンブリは、該アセンブリのハウジング内に長手軸方向に配置される、内壁を有する複数のサイクロン分離チャンバを有し、そして長手軸を規定し、該ハウジングは、ブロワーに接続可能な上端部、ポンプに接続可能な下端部、外部気体が該アセンブリに入るための該サイクロン分離チャンバと連絡したハウジング入口、および該液体を該サイクロン分離チャンバに送達するための該ポンプに接続可能な流体通過コンジットおよび該サイクロン分離チャンバと連絡した真空チャンバを備え、該方法は、以下：
粒子を含む気体を、該ハウジングの入口内へ、そして該複数のサイクロン分離チャンバを通して吸いこむ工程であって、その結果、該気体は、該チャンバの構造に従う環状通路内を流れる、工程；
該チャンバ内の気体の該環状流路から該粒子にかけられた遠心力によって、該気体からカットサイズより大きな粒子を分離し、該粒子を該長手軸から各サイクロンチャンバの該内壁に向かって外向きに移動させる、工程；
該液体通過コンジットを通して、該液体を各サイクロンチャンバに供給する工程；
該粒子を該液体内に捕捉し、そして該粒子を該サイクロンチャンバの内壁から洗い流す工程；ならびに
該粒子を捕捉した液体およびカ゛イ粒子を分離した気体を該真空チャンバへと方向付けする工程
を包含する、方法。
【請求項２０】  請求項１９に記載の方法であって、前記粒子分離アセンブリは、前記ハウジングに連結される入口を有し、そして前記ハウジング入口と流体連絡する外側サイクロンチャンバをさらに有し、前記粒子分離アセンブリを使用して、気体から粒子を分離し、そして該粒子を液体内に収集するための方法は、以下：
粒子を含む気体を前記外側サイクロンチャンバの入口内に吸いこむ工程；
該粒子を含む気体からより大きな粒子を分離する工程であって、その結果、より小さな分子が、該ハウジング入口に入る、工程；および
該より大きな粒子を該ハウジングから取り出す工程、をさらに包含する、方法。
【請求項２１】  粒子分離アセンブリを使用して、気体から粒子を分離し、そして該粒子を液体内に収集するための、請求項１９に記載の方法であって、該方法は、以下：
前記粒子を含む液体を分析のために取り出す工程；および
前記サイクロン分離チャンバから収集した粒子をモニタリングする工程、をさらに包含する、方法。
【請求項２２】  前記長手軸方向のアセンブリ軸に対して同心状の外側サイクロンチャンバをさらに備える、請求項１に記載の装置であって、該外側サイクロンチャンバは、前記複数の入口と流体連絡している、装置。
【請求項２３】  請求項２２に記載の装置であって、前記外側サイクロンチャンバは、入口をさらに備え、該外側サイクロンチャンバ入口により、該装置の外側の粒子を含む気体は、該複数の入口を通って該複数の粒子分離チャンバに入り得る、装置。
【請求項２４】  気流から粒子を分離し、そして該粒子を液体中に収集する装置であって、該装置は、以下：
少なくとも１つの粒子分離チャンバであって、該粒子分離チャンバは、該装置の外側の粒子を含む気体を該粒子分離チャンバへ供給するための入口、出口、および内面を有し、該粒子分離チャンバは、該気体に含まれた粒子を分離するように操作可能である、粒子分離チャンバ；
該粒子分離チャンバと流体連絡して接続された液体通過コンジットであって、該液体通過コンジットは、レザバに接続可能であり、かつ液体を該レザバから該粒子分離チャンバの内面へと供給するように操作可能である、コンジット；ならびに
該粒子分離チャンバの出口と流体連絡して接続され、その結果、該粒子を分離した気体および該粒子を含む液体が、該粒子分離チャンバの出口を出て該真空チャンバへと入る、真空チャンバ
を備える、装置。
【請求項２５】  気流から粒子を分離し、そして該粒子を液体中に収集する装置であって、該装置は、以下：
少なくとも１つの粒子分離チャンバであって、該粒子分離チャンバは、該装置の外側の粒子を含む気体を該粒子分離チャンバへ供給するための入口、該気体または液体を該粒子分離チャンバへと排出させる出口、および内面を有し、該粒子分離チャンバは、該気体に含まれた粒子を分離するように操作可能である、粒子分離チャンバ；
液体を保持するためのレザバ；
該レザバおよび該粒子分離チャンバと流体連絡して相互接続している液体通過コンジットであって、該液体通過コンジットは、該液体を該レザバから該粒子分離チャンバの内面へと供給するように操作可能である、コンジット；ならびに
該粒子分離チャンバの出口および該レザバと流体連絡して接続された真空チャンバであって、該真空チャンバは、排出される粒子分離気体および該粒子を含む液体を該粒子分離チャンバから受け取るように適合している、真空チャンバ
を備える、装置。
【請求項２６】  気流から粒子を分離し、そして該粒子を液体中に収集する装置であって、該装置は、以下：
長手軸を規定するハウジングであって、該ハウジングは、ブロワーと接続可能な上端部およびポンプと接続可能な下端部を備える、ハウジング；
複数のサイクロンチャンバであって、該サイクロンチャンバは、該ハウジングの長手軸と実質的に平行な長手軸を有し、該サイクロンチャンバは、該ハウジング内に配置され、その結果、該サイクロンチャンバの長手軸は、該ハウジングの長手軸と等距離である、サイクロンチャンバ；
各サイクロンチャンバと流体連絡したハウジング入口であって、該ハウジング入口により、該装置の外側の粒子を含む気体は、該サイクロンチャンバに入り得る、ハウジング入口；ならびに
該ハウジング内に配置され、そしてポンプと接続可能である液体通過コンジットであって、該液体通過コンジットは、該サイクロンチャンバへと該液体を送達する、コンジット
を備え、ここで、粒子を含む気体は、該サイクロンチャンバを通って吸いこまれ、その結果、該粒子は遠心力によって該気体から分離され、そして該サイクロンチャンバに供給される液体によって収集される、装置。
【手続補正２】
【補正対象書類名】明細書
【補正対象項目名】図７
【補正方法】変更
【補正の内容】
【図７】
図７Ａは、本発明の円錐型サイクロンセクションの上面図を図示する。図７Ｂは、本発明の円錐型サイクロンセクションの側面立面図を図示する。図７Ｃは、本発明の円錐型サイクロンセクションの底面図を図示する。図７Ｄは、本発明の円錐型サイクロンセクションに接続される、下部流体パイプまたは下部フローパイプの端面図を図示する。図７Ｅは、図７Ｄの下部流体パイプまたは下部フローパイプの側面立面図を図示する。